【事件の表示】
　特願２０１５−２５５７７５「画像送信装置、画像送信方法および画像送信装置を備えた画像形成装置」拒絶査定不服審判事件〔平成２８年　４月　７日出願公開、特開２０１６−　４８９６５〕について、次のとおり審決する。
【結　論】
　本件審判の請求は、成り立たない。
【理　由】
第１　手続の経緯
　本願は、平成２２年７月２２日の出願である特願２０１０−１６５２８９号の一部を、特許法４４条１項の規定により、平成２６年１１月１８日に新たな特許出願（特願２０１４−２３３７８４号）とし、さらにその一部を、平成２７年１２月２８日に新たな特許出願としたものであって、その手続の経緯は以下のとおりである。
　平成２８年１１月１４日付け：拒絶理由の通知
　平成２９年　１月１６日　　：意見書、手続補正書の提出
　平成２９年　２月１７日付け：拒絶査定（同月２８日送達）
　平成２９年　５月２６日　　：審判請求書、手続補正書の提出
　平成２９年　６月２８日付け：前置報告
　平成２９年　８月　７日　　：上申書の提出
第２　平成２９年５月２６日にされた手続補正についての補正却下の決定
［補正却下の決定の結論］
　平成２９年５月２６日にされた手続補正（以下、「本件補正」という。）を却下する。
［理由］
１．補正の内容
（１）本件補正後の特許請求の範囲の記載
　本件補正により、特許請求の範囲の請求項１の記載は、次のとおり補正された（下線は、補正箇所である。）。
「【請求項１】
　画像データを入力する入力手段と、前記入力手段から入力される画像データに基づいて画像出力を行う出力手段とを備えるとともに、入力された画像データに基づいてプレビュー表示する画像を生成する表示画像生成手段と、前記表示画像生成手段により生成されたプレビュー画像を表示する表示手段と、前記表示画像生成手段により生成されたプレビュー画像を前記表示手段にプレビュー表示する表示制御手段とを具備する画像表示操作装置を備え、ユーザがプレビュー画像を確認後に画像送信を行うことができる画像送信装置において、
　前記表示制御手段は、
　プレビュー画像を表示する際に、入力された画像データの向きに依らず、前記プレビュー画像を予め設定された向きで表示し、
　前記出力手段は、
　画像出力を実行する際に、
前記プレビュー画像の向きに依らず、
入力された画像データの向きに対応して、
（２）本件補正前の特許請求の範囲
　本件補正前の、平成２９年１月１６日付けの手続補正により補正された特許請求の範囲の請求項１の記載は次のとおりである。
「【請求項１】
　画像データを入力する入力手段と、前記入力手段から入力される画像データに基づいて画像出力を行う出力手段とを備えるとともに、入力された画像データに基づいてプレビュー表示する画像を生成する表示画像生成手段と、前記表示画像生成手段により生成されたプレビュー画像を表示する表示手段と、前記表示画像生成手段により生成されたプレビュー画像を前記表示手段にプレビュー表示する表示制御手段とを具備する画像表示操作装置を備え、ユーザがプレビュー画像を確認後に画像送信を行うことができる画像送信装置において、
　前記表示制御手段は、
　プレビュー画像を表示する際に、入力された画像データの向きに依らず、前記プレビュー画像を予め設定された向きで表示し、
　前記出力手段は、
　画像出力を実行する際に、画像出力の指示により、入力された画像データの向きと同じ向きで出力することを特徴とする画像送信装置。」
２．補正の適否
　本件補正は、願書に最初に添付した明細書、特許請求の範囲又は図面に記載した事項の範囲内においてなされたものであり、特許法１７条の２第３項（新規事項）の規定に適合している。
　上記補正は、補正前の請求項１に記載した発明を特定するために必要な事項である、「出力手段」が、「画像出力を実行する際に、画像出力の指示により、入力された画像データの向きと同じ向きで画像出力する」ことについて、「前記プレビュー画像の向きに依らず」という事項、及び、「入力された画像データの向きに対応して」という事項を付加して限定するものであり、補正前の請求項１に記載された発明と補正後の請求項１に記載された発明の産業上の利用分野及び解決しようとする課題が同一であるから、特許法１７条の２第５項２号の特許請求の範囲の減縮を目的とするものに該当する。
　また、補正前の請求項１に記載された発明と補正後の請求項１に記載された発明とは、発明の単一性の要件を満たしており、特許法１７条の２第４項（発明の単一性）の規定に適合している。
　そこで、補正後の請求項１に記載された発明（以下、「本件補正発明」という。）が特許出願の際独立して特許を受けることができるものであるか否か（特許法１７条の２第６項において準用する同法１２６条７項の規定に適合するか否か）について以下に検討する。
（１）本件補正発明
　本件補正発明は、上記１．（１）に記載したとおりであり、下記のとおり説明のために当審において（Ａ）ないし（Ｊ）の符号を付して再掲する（以下、構成Ａないし構成Ｊと称する。）。
〔本件補正発明〕
【請求項１】
（Ａ）画像データを入力する入力手段と、
（Ｂ）前記入力手段から入力される画像データに基づいて画像出力を行う出力手段とを備えるとともに、
（Ｃ）入力された画像データに基づいてプレビュー表示する画像を生成する表示画像生成手段と、
（Ｄ）前記表示画像生成手段により生成されたプレビュー画像を表示する表示手段と、
（Ｅ）前記表示画像生成手段により生成されたプレビュー画像を前記表示手段にプレビュー表示する表示制御手段とを具備する
（Ｆ）画像表示操作装置を備え、
（Ｇ）ユーザがプレビュー画像を確認後に画像送信を行うことができる
（Ｈ）画像送信装置において、
（Ｉ）前記表示制御手段は、
　プレビュー画像を表示する際に、入力された画像データの向きに依らず、前記プレビュー画像を予め設定された向きで表示し、
（Ｊ）前記出力手段は、
　画像出力を実行する際に、
前記プレビュー画像の向きに依らず、
入力された画像データの向きに対応して、
（Ｈ）画像送信装置。
（２）引用文献、引用発明
（２−１）引用文献の記載
　原審の拒絶理由に引用された、特開２００９−２２５１５７号公報（以下、「引用文献１」という。）には、「画像処理装置」（発明の名称）として、図面とともに以下の記載がなされている（下線は強調のため当審で付与した。）。
【０００１】
　本発明は、画像処理装置に関し、詳細には、
原稿画像のプレビュー画像及び／またはサムネイル画像を作成して表示する画像処理装置
【００１６】
　図１〜図６は、本発明の画像処理装置の第１実施例を示す図であり、図１は、本発明の画像処理装置の第１実施例を適用した複合装置１の正面概略構成図である。
【００１７】
　図１において、
複合装置１は、下部から、給紙バンク２、プリンタ部３、スキャナ部４、操作表示部５及びＡＤＦ（Auto Document Feeder）６が順次積み重ねられた状態で、構築されており、
【００１９】
　
プリンタ部（印刷手段）３は、例えば、電子写真方式で給紙バンク２から搬送されてきた用紙に画像を印刷し、
【００２１】
　
操作表示部（原稿向き取得手段）５は、テンキーやスタートキー等の各種操作キーを備えるとともに、ディスプレイ（例えば、液晶ディスプレイ）を備え、操作キーからは、送信操作、コピー操作、スキャナ操作等の各種命令操作が行われ、ディスプレイ（表示手段）には、操作キーから入力された命令内容や複合装置１からユーザに通知する各種情報が表示される。
【００２２】
　
複合装置１は、ＰＢＸ（構内交換機）１５等を介して公衆電話回線等のファクシミリ通信可能な回線に接続されており、
【００２３】
　
スキャナ部（画像読み取り手段）４は、
原稿を走査し、原稿の画像を所定の解像度で読み取って、２値化して出力する。
【００３１】
　次に、本実施例の作用を説明する。本実施例の複合装置１は、原稿の読み取りと読み取りの間にプレビュー画像及び／またはサムネイル画像を作成して保管し、該保管したプレビュー画像及び／またはサムネイル画像を要求に応じて表示する。なお、
以下の説明では、コピー処理を行う場合について、説明する。
【００３２】
　本実施例の複合装置１は、図３に示すような処理フローに従って画像処理を実行する。すなわち、複合装置１は、ＡＤＦ６に複数枚の原稿がセットされ、
必要なコピー等の動作内容の指示操作が操作表示部５で行われて、スタートキーが操作されると、
スキャナ部４で、読み取り処理を行うという画像入力処理を行う。次に、複合装置１は、画像入力処理で入力された原稿の画像データからプレビュー・サムネイル処理部３０で表示用画像としてプレビュー画像ＰＧ及び／またはサムネイル画像ＳＧを生成して、該生成したプレビュー画像ＰＧ及び／またはサムネイル画像ＳＧを該元の画像データと関連付けた状態でメモリＭＡに保存する。
複合装置１は、操作表示部５からプレビュー表示の指示操作が行われると、メモリＭＡに保管されているプレビュー画像ＰＧ及び／またはサムネイル画像ＳＧをそのまま利用して、操作表示部５のディスプレイにプレビュー表示し、操作表示部５の操作でコピー開始が指示操作されると、メモリＭＡから原稿の画像データを読み出してプリンタ部３で用紙に印刷出力する。
【００４１】
　図７及び図８は、それぞれ本発明の画像処理装置の第２実施例を適用した複合装置によるプレビュー・サムネイル画像作成処理を伴う画像読み取り処理を示すフローチャートである。
【００４２】
　なお、本実施例は、上記第１実施例の複合装置１と同様の複合装置に適用したものであり、本実施例の説明においては、必要に応じて、第１実施例で用いた符号をそのまま用いて説明する。
【００４３】
　本実施例の複合装置１は、
プレビュー画像ＰＧ及び／またはサムネイル画像ＳＧを、セットされた原稿の方向から回転させた状態で生成
【００４４】
　この
作成するプレビュー画像ＰＧ及び／またはサムネイル画像ＳＧの方向としては、ユーザから操作表示部５のディスプレイに表示されるサムネイル画像ＳＧを見たときに該ユーザに対して適切に向く方向、
を用いる。
【００４５】
　まず、操作表示部５のディスプレイに表示されるプレビュー画像ＰＧ及び／またはサムネイル画像ＳＧをユーザから見たときに、該プレビュー画像ＰＧ及び／またはサムネイル画像ＳＧがユーザの方向に向く方向に、プレビュー画像ＰＧ及び／またはサムネイル画像ＳＧを回転させて作成する場合のプレビュー・サムネイル画像作成処理を伴う画像読み取り処理について、図７に基づいて説明する。すなわち、原稿をスキャナ部４で読み取る場合、ＡＤＦ６やスキャナ部４の原稿台の形状と原稿サイズ等との関係から、
原稿セット方向のままプレビュー画像ＰＧ及び／またはサムネイル画像ＳＧを作成して操作表示部５のディスプレイに表示させた場合、必ずしもユーザから見て原稿が読める方向（ユーザの方向）に向いているプレビュー画像ＰＧ及び／またはサムネイル画像ＳＧが作成されるとは限らない。
【００４６】
　複合装置１は、ＡＤＦ６に複数枚の原稿がセットされて、操作表示部５で読み取り指示が行われると、まず、ＡＤＦ６にセットされた原稿を１枚だけ分離してスキャナ部４に送り、スキャナ部４で該原稿の画像の読み取りを行うと（ステップＳ３０１）、該読み取った原稿のＲＧＢの画像データをメモリＭＡに保存するとともに、次の原稿の読み取りを開始する前に、上記プレビュー・サムネイル処理部３０でプレビュー画像ＰＧ及び／またはサムネイル画像ＳＧの作成を開始する（ステップＳ３０２）。複合装置１は、
プレビュー画像ＰＧ及び／またはサムネイル画像ＳＧの作成を開始すると、読み取り原稿の方向を取得し（ステップＳ３０３）、
この原稿方向の取得は、例えば、操作表示部５のディスプレイに、原稿方向指定画面を表示して、該原稿方向指定画面で指定された原稿方向を取得することで行う。なお、この場合、例えば、操作表示部５のディスプレイに、プレビュー画像ＰＧ及び／またはサムネイル画像ＳＧの回転の要否及び回転方向と回転角度を指定する画面を表示して、該画面による指定を取得してもよい。
（２−２）引用発明
（２−２−１）【０００１】には、原稿画像のプレビュー画像を作成して表示する画像処理装置について記載され、【００１６】、【００１７】には、画像処理装置としての「複合装置」が、「プリンタ部」、「スキャナ部」、「操作表示部」などからなることが記載されている。
　また、【００１９】には、「プリンタ部」が、印刷手段として、用紙に画像を印刷することが、【００２３】には、「スキャナ部」が、画像読み取り手段として、原稿の画像を読み取って、２値化した画像データを出力することが、それぞれ記載されている。
（２−２−２）【００２１】には、「操作表示部」が、送信操作、コピー操作、スキャナ操作等の各種命令操作が行われる「操作キー」とともに、ユーザに通知する情報を表示する「ディスプレイ」を備えることが記載されている。
（２−２−３）【００２２】には、複合装置が、ファクシミリ通信可能な回線に接続されていることが記載されている。
　ここで、【００２１】における「操作表示部」の操作キーにより「送信操作」の命令操作が行われるとの記載を考慮すれば、引用文献１の複合装置は、「スキャナ部」により読み取った画像を、「送信操作」により、画像送信する機能を備えることは、当業者にとって明らかである。
　したがって、引用文献１には、複合装置が、「送信操作に応じて、画像送信を行う」ことが記載されているといえる。
（２−２−４）【００３１】、【００３２】には、複合装置がコピー処理を行う場合に、「プレビュー・サムネイル処理部」が、スキャナ部で読み取った「原稿の画像データからプレビュー画像を生成」して、原稿の画像データと関連付けてメモリに保存し、操作表示部からプレビュー表示の指示操作が行われると、保存したプレビュー画像を「ディスプレイに表示」し、「操作表示部」から「コピー開始の指示」操作が行われると、メモリから「原稿の画像データ」を読み出して「プリンタ部で印刷出力する」ことが記載されている。
　したがって、引用文献１には、複合装置が、「原稿の画像データから、プレビュー画像を作成するプレビュー・サムネイル処理部」を備え、「ディスプレイ」に「プレビュー画像を表示する」こと、及び、「プレビュー画像を表示した後、操作表示部でのコピー開始操作に応じて、プリンタ部により原稿の画像データを印刷出力する」こと、が記載されているといえる。
（２−２−５）【００４３】、【００４４】には、プレビュー画像を、セットされた原稿の方向から回転させた状態で生成すること、及び、作成するプレビュー画像の方向として、ユーザから操作表示部のディスプレイに表示される画像を見たときに該ユーザに対して適切に向く方向を用いることが記載されている。ここで、「ユーザに対して適切に向く方向」とは、【００４５】の記載によれば、ディスプレイに表示させた場合、「ユーザから見て原稿が読める方向」であると解され、その方向について、【００４６】には、操作表示部のディスプレイに、プレビュー画像の回転の要否及び回転方向と回転角度を指定する画面を表示して、該画面による指定を取得することが記載されている。
　したがって、引用文献１には、「操作表示部で指定された方向に基づいて、ユーザから見て原稿が読める方向のプレビュー画像を作成する」ことが記載されているといえる。
　以上より、引用文献１には、次の発明（以下、「引用発明」という。）が記載されていると認められる。
　なお、各構成の符号は、説明のために当審において付与したものであり、以下、構成ａないし構成ｇと称する。
（引用発明）
（ａ）原稿の画像を読み取って、画像データを出力するスキャナ部と、
（ｂ）読み取った原稿の画像データを印刷出力するプリンタ部と、
（ｃ）原稿の画像データから、操作表示部で指定された方向に基づいて、ユーザから見て原稿が読める方向のプレビュー画像を作成するプレビュー・サムネイル処理部と、
（ｄ）プレビュー画像を表示するディスプレイと操作キーとを有する操作表示部を備え、
（ｅ）プレビュー画像を表示した後、操作表示部でのコピー開始操作に応じて、プリンタ部により原稿の画像データを印刷出力し、
（ｆ）送信操作に応じて、画像送信を行う、
（ｇ）複合装置。
（３）対比
　本件補正発明と引用発明とを対比する。
（３−１）本件補正発明の構成Ａ、Ｂと、引用発明の構成ａ、ｂとの対比
　引用発明の「スキャナ部」は、原稿の画像を読み取って、画像データを出力する機能、すなわち、複合装置に画像データを入力する機能を有するから、本件補正発明の「入力手段」に相当する。また、引用発明の「プリンタ部」は、画像データを印刷出力するから、本件補正発明の「出力手段」に相当する。
（３−２）本件補正発明の構成Ｃ〜Ｆ及びＩと、引用発明の構成ｃ、ｄとの対比
　引用発明の「操作表示部」の「ディスプレイ」は、プレビュー画像を表示するから、本件補正発明の「画像表示操作装置」の「表示手段」に相当し、引用発明の「プレビュー・サムネイル処理部」は、画像データからプレビュー画像を作成して、ディスプレイに表示させる点で、本件補正発明の「表示画像生成手段」の機能と「表示制御手段」の機能とを果たしているといえるから、引用発明の「プレビュー・サムネイル処理部」と「操作表示部」とを併せると、本件補正発明の「表示画像生成手段」と「表示手段」と「表示制御手段」とを具備する「画像表示操作装置」に対応するといえる。
　ここで、引用発明の構成ｃで作成する「プレビュー画像」の向きについて検討する。
　引用発明の構成ｃの「操作表示部で指定された方向に基づいて」作成するプレビュー画像の「ユーザから見て原稿が読める方向」は、操作表示部のディスプレイに、プレビュー画像の回転の要否及び回転方向と回転角度を指定する画面を表示して、該画面による指定を取得するのであるから、読み取られる原稿の「文字や図画の方向」に基づいて、原稿が読める方向に指定されるものであり、入力された「画像データ」そのものの向き、即ち、スキャナ部に対する原稿のセット方向の縦横には依らないことは、当業者にとって自明であるといえる。
　そして、引用発明において、「方向」を「操作表示部で指定」することは、プレビュー画像の作成及び表示に先だって行われるから、「プレビュー画像の向き」を「予め設定」することといえる。
　してみれば、引用発明において、「操作表示部で指定された方向に基づいて、ユーザから見て原稿が読める方向のプレビュー画像を作成」して「表示する」ことは、本件補正発明において、「入力された画像データの向きに依らず、前記プレビュー画像を予め設定された向きで表示する」ことに相当するといえる。
　したがって、引用発明の構成ｃ、ｄと、本件補正発明の構成Ｃ〜Ｆ及びＩとは、一致する。
（３−３）本件補正発明の構成Ｊと、引用発明の構成ｅとの対比
　引用発明の構成ｅは、操作表示部での操作に応じて、画像データを印刷出力するものであるから、本件補正発明の構成Ｊとは、「画像出力を実行する際に、画像出力の指示により、画像出力する」点で共通する。
　ただし、本件補正発明が、「プレビュー画像の向きに依らず、入力された画像データの向きに対応して、入力された画像データの向きと同じ向きで」画像出力するのに対し、引用発明は、「プレビュー画像の向きに依らず、入力された画像データの向きに対応して、入力された画像データの向きと同じ向きで」印刷出力すると特定されていない点で相違する。
（３−４）本件補正発明の構成Ｇ、Ｈと、引用発明の構成ｆ、ｇとの対比
　引用発明の構成ｆによれば、引用発明の「複合装置」は、「画像送信を行う」機能を有するから、「画像送信装置」であるということができる。
　よって、引用発明の構成ｆ、ｇと本件補正発明の構成Ｇ、Ｈとは、「画像送信を行うことができる画像送信装置」である点で共通する。
　ただし、本件補正発明が、「ユーザがプレビュー画像を確認後に」画像送信を行うことができるのに対し、引用発明は、「ユーザがプレビュー画像を確認後に」画像送信を行うと特定されていない点で相違する。
（３−５）一致点、相違点
　したがって、本件補正発明と引用発明とは、以下の点で一致ないし相違している。
（一致点）
　画像データを入力する入力手段と、
　前記入力手段から入力される画像データに基づいて画像出力を行う出力手段とを備えるとともに、
　入力された画像データに基づいてプレビュー表示する画像を生成する表示画像生成手段と、
　前記表示画像生成手段により生成されたプレビュー画像を表示する表示手段と、
　前記表示画像生成手段により生成されたプレビュー画像を前記表示手段にプレビュー表示する表示制御手段とを具備する
　画像表示操作装置を備え、
　画像送信を行うことができる画像送信装置において、
　前記表示制御手段は、
　プレビュー画像を表示する際に、入力された画像データの向きに依らず、前記プレビュー画像を予め設定された向きで表示し、
　前記出力手段は、
　画像出力を実行する際に、画像出力の指示により、画像出力する、
　画像送信装置。
（相違点１）
　「画像送信」について、本件補正発明は「ユーザがプレビュー画像を確認後」に行うことができるのに対し、引用発明は、「ユーザがプレビュー画像を確認後」に行うと特定されていない点。
（相違点２）
　出力手段による「画像出力」について、本件補正発明は「前記プレビュー画像の向きに依らず、入力された画像データの向きに対応して、入力された画像データの向きと同じ向きで」行うのに対し、引用発明は、「プレビュー画像の向きに依らず、入力された画像データの向きに対応して、入力された画像データの向きと同じ向きで」行うと特定されていない点。
（４）判断
　上記相違点について検討する。
（４−１）相違点１について
　引用発明における、プレビュー画像の表示は、構成ｅにもあるように、スキャナ部で読み取った原稿を、印刷出力前に確認するために行うものである。してみれば、印刷出力前に行うプレビュー画像の表示による読み取り原稿の確認を、画像送信前にも行うようにすることは、当業者が容易に想到し得ることといえる。
　よって、引用発明において、上記相違点１に係る本件補正発明の構成を得ることは、引用文献１の記載に基づいて、当業者が容易に想到し得ることと認められる。
（４−２）相違点２について
　引用発明のような「複合装置」における「コピー処理」は、引用文献１の【００５２】において、「ユーザから複合装置１のプリンタ部３で出力される用紙を見てＡ４タテの向きに出力したい場合であっても、給紙バンク２にＡ４タテの用紙がなく、Ａ４ヨコの用紙がある場合には、読み取り画像を回転して出力することになる」と記載されるような、例外的な状況を除き、読み取り原稿の原稿セット方向のまま印刷出力することが、当業者の技術常識である。
　また、引用文献１の【００４６】によれば、引用発明の実施態様として、スキャナ部で読み取った原稿の画像データをメモリに保存し、読み取った原稿の向きと表示させるプレビュー画像の向きとが異なり、回転させる必要がある場合はプレビュー画像の回転処理を行い、その必要がない場合には回転処理を行わずに、プレビュー画像を作成し、原稿の画像データと関連付けてメモリに保存することが記載されていると認められ、かかる処理手順によりメモリに保存された、原稿の画像データは、プレビュー画像の回転処理の有無に関わらず、原稿セット方向のまま、すなわち、入力された画像データの向きと同じ向きであることは、当業者にとって明らかである。
　このような引用発明の実施態様について、上記した技術常識を踏まえて検討すると、プレビュー画像の回転処理の有無に関わらず、入力された画像データの向きと同じ向きで保存された原稿の画像データを、その向きのまま読み出して印刷出力する構成は、当業者が普通に採用する構成であるといえる。
　してみれば、引用発明における画像出力を、「プレビュー画像の向きに依らず、入力された画像データの向きに対応して、入力された画像データの向きと同じ向きで」行う構成とすることに、当業者が困難を要するものとは認められない。
　以上のとおりであるから、引用発明において、上記相違点２に係る本件特許発明の構成を得ることは、引用文献１の記載ならびに技術常識に基づいて、当業者が容易に想到し得ることと認められる。
（４−３）まとめ
　上記（４−１）及び（４−２）において判断したとおり、相違点１，２はいずれも格別なものとはいえない。そして、本件補正発明に関する作用・効果も、引用発明及び引用文献１の記載ならびに技術常識から、当業者が予測できる範囲のものである。
　したがって、本件補正発明は、引用発明及び引用文献１の記載ならびに技術常識に基づいて、当業者が容易に発明をすることができたものであるから、特許法２９条２項の規定により、特許出願の際独立して特許を受けることができないものである。
（５）本件補正についてのむすび
　よって、本件補正は、特許法１７条の２第６項において準用する同法１２６条７項の規定に違反するものであり、同法１５９条１項において読み替えて準用する同法５３条１項の規定により却下すべきものである。
　よって、上記補正却下の決定の結論のとおり決定する。
第３　本願発明について
１．本願発明
　平成２９年５月２６日にされた手続補正は、上記のとおり却下されたので、本願の請求項に係る発明は、平成２９年１月１６日にされた手続補正により補正された特許請求の範囲の請求項１ないし７に記載された事項により特定されるものであるところ、その請求項１に係る発明（以下、「本願発明」という。）は、明細書及び図面の記載からみて、その請求項１に記載された事項により特定される、前記第２の［理由］１．（２）に記載のとおりのものである。
２．引用文献、引用発明
　原査定の拒絶の理由で引用された引用文献１及びその記載事項ならびに引用発明は、前記第２の［理由］の２．（２）及び（４）に記載したとおりである。
３．対比・判断
　本願発明は、前記第２［理由］の２．にて検討した本件補正発明から、「出力手段」についての限定事項である、「前記プレビュー画像の向きに依らず」という事項、及び、「入力された画像データの向きに対応して」という事項を削除したものである。
　そうすると、本願発明の特定事項を全て含み、さらに他の事項を付加したものに相当する本件補正発明が、前記第２の［理由］の２．（３）及び（４）に記載したとおり、引用発明及び引用文献１の記載ならびに技術常識に基づいて、当業者が容易に発明をすることができたものであるから、本願発明も、同様の理由により、引用発明及び引用文献１の記載ならびに技術常識に基づいて当業者が容易に発明をすることができたものである。
４．むすび
　以上のとおり、本願発明は、特許法２９条２項の規定により特許を受けることができないから、他の請求項に係る発明について検討するまでもなく、本願は拒絶されるべきものである。
　よって、結論のとおり審決する。